(57)【特許請求の範囲】
【請求項１】
連結体（８）を有する歯科用のハンドピースであって、前記連結体内には、ハンドピースの頭部（３）に設けられた噴射ノズル（６）に冷却液を供給するための導管通路（１２，１３）が配置されており、導管通路には逆止弁（１５）が配置されていて、該逆止弁は、液圧に応じて導管通路（１２）の開口部（１７）を開閉する閉鎖体として作用する可動区分（１５ａ）と、該可動区分に対しては不動であって前記導管通路を外部に対してシールする固定区分（１５ｃ）とを有しており、この場合、切欠き（１４）を連結体（８）の外周面に向かってシールする前記固定区分（１５ｃ）と、前記可動区分（１５ａ）と、前記切欠き（１４）とが室（１９）を制限している形式のものにおいて、
導管通路（１２，１３）が、連結体（８）の外周面を貫通する半径方向の切欠き（１４）を有し、該切欠き内に逆止弁（１５）が配置されており、該逆止弁（１５）の可動区分（１５ａ）の弾性は、冷却液供給の遮断直後に導管内で生じる逆吸引状態で、可動区分（１５ａ）が、無負荷閉鎖状態におけるよりも大きなシール面で、開口部（１７）の制限面（１８）に当接するように選択されており、これにより、室（１９）の容積拡大が生じ、噴射ノズル（６）に通じる導管通路（１３）内には、僅かな逆吸引効果が存在することを特徴とする、連結体（８）を有する歯科用のハンドピース。
【請求項２】
閉鎖体を形成する可動区分（１５ａ）が皿形に形成され、少なくともこの可動区分は弾性的な材料より成っていて、この場合、形状と弾性は、前記可動区分が無負荷状態では皿縁部だけでもって導管通路の開口部（１７）を制限する連結体（８）の制限面（１８）に当接するが、冷却水供給の遮断後には前記可動区分のより大きな面が前記制限面（１８）に当接するように選択されている、請求項１記載の歯科用のハンドピース。
【請求項３】
皿形の可動区分（１５ａ）が、中央ウエブ（１５ｂ）によって固定区分（１５ｃ）と結合されていて、該固定区分（１５ｃ）が、弁室を切欠きの外周域の開口部に対してシールするために、固定区分に一体成形されたシール部材（１５ｄ）を有している、請求項２記載の歯科用のハンドピース。
【請求項４】
逆止弁が一体の成形部分から成る、請求項３記載の歯科用のハンドピース。
【請求項５】
逆止弁（１５）の閉鎖体としての可動区分（１５ａ）のプレロード力を調整するための調整部材（１６）が切欠き（１４）内に設けられている、請求項１から４までのいずれか１項記載の歯科用のハンドピース。
【請求項６】
連結体（８）の切欠き（１４）の外周域が、ハンドピースの外側スリーブ（７）によって制限されている、請求項１から５までのいずれか１項記載の歯科用ハンドピース。
【発明の詳細な説明】
【０００１】
【産業上の利用分野】
本発明は、連結体を有する歯科用のハンドピースであって、前記連結体内には、ハンドピースの頭部端部に設けられた噴射ノズルに冷却液を供給するための導管通路が配置されており、該導管通路内には、液圧に応じて前記導管通路を開閉する逆止弁が配置されている形式のものに関する。
【０００２】
【従来の技術】
前記形式のハンドピースは、たとえば欧州特許出願公開第２７１５９７号明細書に基づいて公知である。この逆止弁は、冷却液の遮断後に冷却液が給水経路に逆流するのを阻止すると共に、処置領域（口腔）から拾った細菌が、処置後に殺菌することのできない治療器械領域に侵入するのを回避するためのものである。
【０００３】
この公知のハンドピースでは、逆止弁はハンドピースの頭部ケーシングの領域に配置されている。弁を交換するためには、頭部ケーシングのねじ蓋を外し、頭部ケーシングに配置された駆動装置を取り外すことが必要である。そうした上で弁は導管通路から取り外すことができる。
【０００４】
冒頭で述べたように、この弁は、細菌を取り込んだ冷却液が、冷却液の遮断後にハンドピースの外部に逆流するのを阻止するために働く。噴射ノズルのオリフィス縁部位に冷却液滴が形成されるのを回避することを目的とする逆吸引はこの弁では達成されない。
【０００５】
【発明が解決しようとする課題】
したがって本発明の課題は、冒頭で述べた形式のハンドピースを改良して、組付けが簡便で低コストの構成手段によって噴射ノズルのオリフィス縁部における冷却液滴形成を回避する一方、ハンドピースが接続できる供給ホースを含む治療器械側部分への細菌の侵入を回避できるようにすることである。
【０００６】
【課題を解決するための手段】
この課題を解決するための本発明の構成手段は、導管通路が、連結体の外周面を貫通する半径方向の切欠きを有し、該切欠き内に逆止弁が配置されており、該逆止弁は、液圧に関連して導管通路を開閉する閉鎖体として作用する可動区分と、該可動区分に対しては不動であって前記切欠きを連結体の外周面に向かってシールする固定区分を有している点にある。
【０００７】
【作用】
本発明のハンドピースの格別の利点は、逆吸引防止手段が直接ハンドピース内に存在しており、その結果、細菌に汚染された水がハンドピースを越えて供給ホースに到達すること、ひいては処置後に殺菌することのできない治療器械領域側の給水部に侵入することも確実に防止されることである。ハンドピース内部で吸い戻される冷却媒体量は比較的少なく、前記治療機械領域には無関係である。有利に一体成形された逆止弁は確実な機能と交換簡便性を保証する。
【０００８】
【実施例】
以下に、本発明の実施例を図面につき詳しく説明する。
【０００９】
図１には、歯科用のハンドピースが示されている。このハンドピースはスリーブ状のグリップ本体１を有し、グリップ本体１の一端には供給ホース（図示せず）を接続するための接続器具２が配置されており、他端には頭部３が配置されている。頭部３は公知のように頭部ケーシング４を有しており、この頭部ケーシング４には回転可能な工具５が支承されている。符号６は、流体から成る冷却媒体（すなわち通常は冷却水もしくは水と空気の混合物）のための噴射ノズルであり、この冷却媒体によって工具先端もしくは形成部位が冷却される。
【００１０】
図２には、縦断面半割図によってハンドピースの後方部分が示されている。この図から明らかであるように、グリップ本体１の外側スリーブ７は連結体８を取り囲んでいて、連結体８は接続器具２を含んでいる。この連結体はこの場合、駆動モータのピン状の接続部を受容するために形成されていて、中心に回転モーメントを伝達する連結部材９を有しており、この連結部材９は頭部ケーシングに達する駆動軸１０の区分と結合されている。符号１１および１２によって、２つの環状通路が示されており、これら環状通路１１，１２は、空気と水を駆動モータの連結部（図示せず）から噴射ノズル６へ導く。給水用の環状通路１２は、連結体８に設けられた、半径方向外周域に開いた切欠き１４に開口している。導管通路１３と接続されている切欠き１４には図３〜図５に基づいて詳説した逆止弁１５が嵌め込まれている。弁のプレーロード力を調整できる調整ねじ１６は、逆止弁を切欠きで固定する。切欠きの外側の制限部はグリップ本体の外側スリーブ７によって形成されており、このことは、外側スリーブを取り外した後に、もしくは連結体を引き抜いた後に、逆止弁に容易にアクセスできるという利点を有する。
【００１１】
逆止弁１５は、皿形に成形された、閉鎖体としての弾性的な可動区分１５ａと細い中央ウエブ１５ｂによって結合されている固定区分１５ｃと、この固定区分１５ｃに一体成形されているシール部材としてのシールリング１５ｄとから成っている。皿形の弾性的な可動区分１５ａは、環状通路１２と接続されている半径方向導管通路１７を取り囲んでおり、したがって皿縁部は開口部を取り囲んでいる。開放位置（図３）および無負荷状態にある閉鎖位置（図４）および冷却液供給の遮断後の逆吸引状態（図５）における逆止弁１５を示した図３〜図５から明らかであるように、無負荷状態にある閉鎖位置（図４）では、可動区分１５ａの皿縁部は、半径方向導管通路１７の開口部を制限する制限面１８に軽く当接するにすぎないが、シール作用を有している。閉鎖体１５ａの弾性は、冷却液供給の遮断後に、導管内に生ずる僅かな逆吸引効果に基づいて、皿縁部が制限面１８に当接するだけでなく、図５から明らかであるように、閉鎖体のかなり大きな面がこの制限面に当接するように選択されている。閉鎖体の強い密着によって、室１９の容積拡大が生じ、これにより、導管通路１３における、比較的弱く規定された逆吸引効果が生じ、ひいては噴射ノズル６の冷却液滴形成が回避される。作動中はシール縁部は、相応の圧力によって制限面１８から離間されるので半径方向管導通路１７の通流開口を解放する（図３）。
【図面の簡単な説明】
【図１】歯科用ハンドピースを示す図である。
【図２】ハンドピースの後方部分を拡大して示した縦断面半割図である。
【図３】開放位置にある逆止弁の断面図である。
【図４】無負荷状態で閉鎖位置にある逆止弁の断面図である。
【図５】逆吸引状態における逆止弁の断面図である。
【符号の説明】
１    グリップ本体
２    接続器具
３    頭部
４    頭部ケーシング
５    工具
６    噴射ノズル
７    外側スリーブ
８    連結体
９    連結部材
１０    駆動軸
１１，１２    環状通路
１３    導管通路
１４    切欠き
１５    逆止弁
１５ａ    可動区分
１５ｂ    中央ウエブ
１５ｃ    固定区分
１５ｄ    シールリング
１６    調整ねじ
１７    半径方向導管通路
１８    制限面
１９    室
【図１】
0003677060.tif 000002
【図２】
0003677060.tif 000003
【図３】
0003677060.tif 000004
【図４】
0003677060.tif 000005
【図５】
0003677060.tif 000006